(57)【要約】【課題】アンテナの軸方向の強度を増し、排気管をチップオフする時、アンテナの位置が変形されるのを防止すること。【解決手段】アンテナ筒付きコアチューブ１０を設けたマグネトロンであって、陽極筒体１の内部に放射状にて複数のベイン２が設けられ、ベイン２の上下側にはストラップリング３が１枚おきに交互に設けられており、また中心部には作用空間４へ熱電子を放出させるフィラメント５が設けられアンテナ７は、曲げ加工部７ａ、７ｂを有し、この曲げ加工部７ａ、７ｂは、アンテナ７の軸方向の強度が増すように、ねじるように構成されている。【選択図】図１
2014089908.tif 000002
【特許請求の範囲】
【請求項１】
アンテナ筒付きコアチューブを設けたマグネトロンであって、
アンテナは、曲げ加工部を有し、この曲げ加工部は、ねじって形成されたことを特徴とするマグネトロン。
【請求項２】
曲げ加工部は、９０度ねじって形成されたことを特徴とする請求項１に記載のマグネトロン。
【請求項３】
曲げ加工部の９０度ねじる方向は、前記曲げ加工部に応じて時計回り・反時計回りと互い違いになることにより構成されることを特徴とする請求項２に記載のマグネトロン。
【発明の詳細な説明】
【技術分野】
【０００１】
本発明は高周波を発生させるマグネトロンに係り、具体的には、排気管のチップオフの時、アンテナが変形されることを防止することができるようにしたマグネトロンに関するものである。
【背景技術】
【０００２】
一般的に、電子レンジなどに使用されるマグネトロンは、図４に示したように、陽極筒体１の内部に放射状にて複数のベイン２が設けられており、上記ベイン２の上下側にはストラップリング３が１枚おきに交互に設けられており、また中心部には作用空間４へ熱電子を放出させるフィラメント５が設けられる。
【０００３】
そして、前記ベイン２の上部に磁極６を設け、上記磁極６の一側にはアンテナ７を設け、またアンテナ７の片側はベイン２に取付けられ、出力側セラミック８を順次通過して、コアチューブ１０の内部のガス排気のための排気管９までに延し設けられる。
【０００４】
フィラメント５から放射された熱電子が、ベイン２とフィラメント５との間にかかった電界と、磁極６により作用空間４に垂直にかかった磁界の影響の故、サイクロイド運動をし、それによって加速された電子によって発生した電磁気波エネルギーがフィラメント５に向いて配置されたベイン２の一端に伝達され、前記エネルギーは電流の形にてベイン２へ流れる。その後、前記電磁気波エネルギーはベイン２に結合したアンテナ７を通して外部に取り出される。
【０００５】
この時、コアチューブ１０の内部を真空の状態にするためにはアンテナ７をベイン２に結合したのち、排気工程でコアチューブ１０内のガスが排気管を通って排気完了した後、上記排気管９をチップオフすることとなる。
【０００６】
ところで、従来は図５に示したようにアンテナ７が排気管９まで長く延し設けられているので、排気管９をチップオフする時、アンテナ７も同時に圧しながら、図６のように切り取られてしまうので、通常線材で作られたアンテナ７は、切り取られそのくらい下向きへ退き、それによってアンテナ７は、初めセッティングした位置から変形し、出力部の線路上で一定位置を維持することが大変難しくなるから、出力特性の変化が大きくなる。
【０００７】
なお、アンテナ７が下向きに変形するときに連結されたベイン２が変形された場合には、構造自体が均衡を失ってしまうおそれがあるから、出力及び関連特性の低下になる致命的な欠点がある。
【０００８】
また、このような課題を解決するために、排気完了後、アンテナを排気管下段に形成した固定部に支持する方法もあるが、この構成では、部品の複雑化によるコストアップ、アンテナと排気管の位置出し・固定が容易ではない等の課題があり、実用は困難であった。
【先行技術文献】
【特許文献】
【０００９】
【特許文献１】実開平５−５９７３７号公報
【発明の概要】
【発明が解決しようとする課題】
【００１０】
しかしながら、排気管９をチップオフする時、アンテナ７も同時に圧しながら切り取ら
れてしまうので、通常線材でつくられたアンテナ７の構成では、アンテナ７が軸方向に変形してしまうため、出力部の線路上で一定位置を維持することが大変難しくなるから、出力特性の変化が大きくなるという課題を有していた。
【００１１】
本発明は、前記従来の課題を解決するもので、アンテナの軸方向の強度が増すように、ねじるように構成されたものを提供することを目的とする。
【課題を解決するための手段】
【００１２】
前記従来の課題を解決するために、本発明のマグネトロンは、アンテナの軸方向の強度が増すように、ねじるように構成することにより、チップオフ時にアンテナの位置が変形されるのを防止することができる。
【発明の効果】
【００１３】
本発明のマグネトロンは、アンテナの軸方向の強度が増し、チップオフ時にアンテナの変形を抑制することが可能となるので、出力特性の安定化を図ることができる。
【図面の簡単な説明】
【００１４】
【図１】本発明の実施の形態１におけるマグネトロンのアンテナ部の断面図
【図２】本発明の実施の形態１におけるマグネトロンのアンテナの要部斜視図
【図３】本発明の実施の形態２におけるマグネトロンの要部斜視図
【図４】従来のマグネトロンの半断面図
【図５】従来のマグネトロンのアンテナ部の詳細な縦断面図
【図６】従来のマグネトロンのチップオフ後の要部断面図
【発明を実施するための形態】
【００１５】
第１の発明は、アンテナ筒付きコアチューブを設けたマグネトロンであって、アンテナは、曲げ加工部を有し、この曲げ加工部は、ねじって形成することにより、排気管をチップオフする時、アンテナも同時に圧したとしても、アンテナの軸方向の強度が向上しているので、初めにセッティングした位置から変化しないようにできる。
【００１６】
第２の発明は、曲げ加工部を９０度ねじって形成することにより、排気管をチップオフする時、アンテナも同時に圧したとしても、アンテナの軸方向の強度が向上しているので、初めにセッティングした位置から変化しないようにできる。
【００１７】
第３の発明は、曲げ加工部の９０度ねじる方向は、前記曲げ加工部に応じて時計回り・反時計回りと互い違いになることにより構成されることにより、初めにセッティングした位置から変化しないようにできる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態におけるマグネトロンのアンテナ部の断面図を示すものである。
【００２０】
図１において、陽極筒体１の内部に放射状にて複数のベイン２が設けられており、ベイン２の上下側にはストラップリング３が１枚おきに交互に設けられており、また中心部には作用空間４へ熱電子を放出させるフィラメント５が設けられる。
【００２１】
そして、ベイン２の上部に磁極６を設け、上記磁極６の一側にはアンテナ７を設け、ま
たアンテナ７の片側はベイン２に取付けられ、出力側セラミック８を順次通過して、コアチューブ１０の内部のガス排気のための排気管９までに延し設けられる。
【００２２】
フィラメント５から放射された熱電子が、ベイン２とフィラメント５との間にかかった電界と、磁極６により作用空間４に垂直にかかった磁界の影響の故、サイクロイド運動をし、それによって加速された電子によって発生した電磁気波エネルギーがフィラメント５に向いて配置されたベイン２の一端に伝達され、前記エネルギーは電流の形にてベイン２へ流れる。その後、前記電磁気波エネルギーはベイン２に結合したアンテナ７を通して外部に取り出される。
【００２３】
この時、コアチューブ１０の内部を真空の状態にするためにはアンテナ７をベイン２に結合したのち、排気工程でコアチューブ１０内のガスが排気管を通って排気完了した後、上記排気管９をチップオフすることとなる。
【００２４】
ここで、アンテナ７の曲げ加工部７ａ、７ｂがねじられたことにより構成されていると、排気管９をチップオフする時、アンテナ７も同時に圧したとしても、アンテナ７の軸方向の強度が向上しているので、初めにセッティングした位置から変化しない。
【００２５】
つまり、本実施例に係るマグネトロン用アンテナ７は、アンテナの曲げ加工部７ａ、７ｂをねじったことにより構成されている。アンテナの曲げ加工部７ａと曲げ加工部７ｂの９０度ねじる方向が時計回り・反時計回りと互い違いになることにより構成されている。
【００２６】
（実施の形態２）
以下、実施の形態１と同一構成には、同一符号を付して、詳細な説明を省略する。
【００２７】
図３は、本発明の第２の実施の形態のアンテナ図である。
【００２８】
同図において、コアチューブ１０の内部を真空の状態にするためにはアンテナ７をベイン２に結合したのち、排気工程でコアチューブ１０内のガスが排気管を通って排気完了した後、上記排気管９をチップオフすることとなる。
【００２９】
ここで、アンテナ７の曲げ加工部７ｃがリブにより補強されていると、排気管９をチップオフする時、アンテナ７も同時に圧したとしても、アンテナ７の軸方向の強度が向上しているので、初めにセッティングした位置から変化しない。
【００３０】
つまり、本実施例に係るマグネトロン用アンテナ７は、アンテナの曲げ加工部７ｃにより補強されている。
【００３１】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００３２】
以上のように、本発明にかかる、マグネトロンはアンテナの軸方向の強度が増し、チップオフ時にアンテナの変形を抑制することが可能となるので、出力特性の安定化を図ることが出来る。
【００３３】
また、アンテナが変形して同軸上からずれてしまうことにより発生していた、発振周波数のバラツキ・不要雑音についても同時に抑制することができ、それにより製品の品質を高めることができる。
【符号の説明】
【００３４】
１  陽極筒体
２  ベイン
３  ストラップリング
４  作用空間
５  フィラメント
６  磁極
７  アンテナ
７ａ  曲げ加工部
７ｂ  曲げ加工部
７ｃ  曲げ加工部
８  出力側セラミック
９  排気管
１０  コアチューブ
【図１】
2014089908.tif 000003
【図２】
2014089908.tif 000004
【図３】
2014089908.tif 000005
【図４】
2014089908.tif 000006
【図５】
2014089908.tif 000007
【図６】
2014089908.tif 000008